(57)【要約】【課題】複数の巻取室を、その室数相当数の独立した別個のハウジングを必要とすることなく構成できるようにする。【解決手段】第１のサイドハウジング７と、これと対向する第２のサイドハウジング８、及びこれらの間に位置して仕切部１０を有する中間ハウジング９により、複数の巻取室１１，１２を構成する。このものの場合、複数の巻取室１１，１２について中間ハウジング９が共通であり、巻取室１１，１２の室数相当数の独立した別個のハウジングを必要としない。よって、コストの低減ができる。【選択図】  図１
2004203548.tif 000002
【特許請求の範囲】
【請求項１】
複数の巻取室を具えたものにおいて、
その複数の巻取室を、第１のサイドハウジングと、これと対向する第２のサイドハウジング、及びこれらの間に位置して前記複数の巻取室についての仕切部を有する中間ハウジングにより構成したことを特徴とする巻取装置。
【発明の詳細な説明】
【０００１】
【発明の属する技術分野】
本発明は複数の巻取室を具えた巻取装置に関する。
【０００２】
【従来の技術】
従来より、例えば電気コードやホース等の巻取りをする巻取装置においては、複数の巻取室を具えたものが供されている。その巻取室は、個々に巻取リールを具え、この巻取リールに上記電気コードやホース等を巻取るようになっている。そして又、巻取室は、上述の巻取リールを個々に収容するハウジング、すなわち、巻取室の室数相当数の独立した別個のハウジングによってそれぞれ構成され、それを並べて連結した構造となっている。
【０００３】
【発明が解決しようとする課題】
上記従来のものの場合、複数の巻取室を構成するのに、巻取室の室数相当数の独立した別個のハウジングが必要であり、コスト高となっていた。
本発明は上述の事情に鑑みてなされたものであり、従ってその目的は、複数の巻取室を、その室数相当数の独立した別個のハウジングを必要とすることなく構成できて、コストの低減ができる巻取装置を提供するにある。
【０００４】
【課題を解決するための手段】
上記目的を達成するために、本発明の巻取装置は、複数の巻取室を、第１のサイドハウジングと、これと対向する第２のサイドハウジング、及びこれらの間に位置して前記複数の巻取室についての仕切部を有する中間ハウジングにより構成したことを特徴とする。
【０００５】
このものによれば、複数の巻取室について中間ハウジングが共通であり、巻取室の室数相当数の独立した別個のハウジングが必要であった従来のものより、ハウジング構造の合理化ができる。
【０００６】
【発明の実施の形態】
以下、本発明の一実施例につき、図面を参照して説明する。
まず、図２には、巻取装置の全容を示しており、上部にハンガー１を有するハウジング２から、線条部材である電気コード３とホース４とが導出され、電気コード３の先端部には例えば複数口のコンセント５を設け、ホース４の先端部には接続部６を設けている。又、これら電気コード３とホース４の各先端部近くの部分には、それぞれ例えば球状のストッパ３ａ，４ａを設けており、これらが電気コード３及びホース４の巻取り時にハウジング２に衝接することによってそれら電気コード３及びホース４の巻取り長を図示のごとく規制するようにしている。
【０００７】
上記ハウジング２は、詳細には、図１に示すように、第１（図中左側）のサイドハウジング７と、これと対向する第２（図中右側）のサイドハウジング８、及びこれらの間に位置する中間ハウジング９により構成しており、そのうち、中間ハウジング９は、第１のサイドハウジング７と第２のサイドハウジング８との間を図中左右に２分する仕切部１０を有し、これらによって、複数の巻取室、この場合、第１及び第２（図中左右）の巻取室１１，１２を包囲形成している。
【０００８】
しかして、第１の巻取室１１の中心部及び第２の巻取室１２の中心部には、シャフト１３，１４を挿通して主に図中左端のボルト１５及び右端のナット１６により抜け止めし且つ固定している。このシャフト１３，１４は、雄ねじ部１７と雌ねじ部１８とによりあらかじめ１本に連結しており、又、第２の巻取室１２側のシャフト１４には、送気路１９をあらかじめ形成している。
【０００９】
そして、第１の巻取室１１側のシャフト１３及び第２の巻取室１２側のシャフト１４には、それぞれリベット２０，２１を挿着し、その外側にそれぞれぜんまいばね２２，２３を巻装して、このぜんまいばね２２，２３の各一端部である各巻始端部をリベット２０，２１に係止させ、ひいてはシャフト１３，１４にそれぞれ係止させている。従って、この場合、リベット２０，２１はばね止め部材として機能している。
【００１０】
更に、ぜんまいばね２２，２３の各外側に位置してシャフト１３，１４には、それぞれ巻取リール２４，２５を回転可能に取付けている。そのうち、巻取リール２４は、胴体２６の軸方向（図中左右）両端に端板２７，２８を結合して成るもの、巻取リール２５は、胴体２９の同じく軸方向両端に端板３０，３１を結合して成るものであり、その各端板２７，３０から胴体２６，２９には、それぞれスタッドボルト３２，３３を挿着し、このスタッドボルト３２，３３に、ひいては巻取リール２４，２５に、それぞれ前記ぜんまいばね２２，２３の各他端部である各巻終端部を係止させている。従って、この場合、スタッドボルト３２，３３もばね止め部材として機能している。
【００１１】
又、巻取リール２４には前記電気コード３を巻装し、巻取リール２５には前記ホース４を巻装しており、それら電気コード３、ホース４を引出せば、巻取リール２４，２５がそれぞれその引出し方向に回転し、それによってぜんまいばね２２，２３は巻き戻され、巻取リール２４，２５に戻り方向の回転力を付与するようになっている。すなわち、ぜんまいばね２２，２３は、巻取リール２４，２５に戻り方向の回転力を付与する回転力付与手段として機能するものである。
【００１２】
このほか、シャフト１３，１４から巻取リール２４，２５にかけては、リール規制機構３４，３５を設けており、このリール規制機構３４，３５は、電気コード３、ホース４を上述のごとく引出すときに、巻取リール２４，２５のその引出し方向の回転を許容して逆方向の回転を制止し、すなわち、電気コード３、ホース４の戻りを阻止し、再度、電気コード３、ホース４を引出す操作を行ったときに、巻取リール２４，２５の逆方向の回転の制止を解いて、上記ぜんまいばね２２，２３による巻取リール２４，２５の逆方向の回転をなさしめる、すなわち、電気コード３、ホース４を巻取らせるものである。
【００１３】
又、第１の巻取室１１側のシャフト１３には集電装置３６を設けており、この集電装置３６は巻取リール２４の回転に対して接触（電気接続）を続けるもので、これの二次側プレート３７に電気コード３の基端部を接続し、一次側プレート３８に給電線３９を接続している。なお、前記第１のサイドハウジング７には、中央部の外側に結線カバー４０を前述のボルト１５を共用して取付けており、この結線カバー４０にブッシュ４１を装着し、このブッシュ４１に上記給電線３９を挿通させている。
【００１４】
一方、第２の巻取室１２側のシャフト１４には、前記送気路１９の奥部の周囲に位置してホース接続部材４２をＯリング４３を介して気密に装着している。このホース接続部材４２には、送気路１９が連通すると共に、図中上側の先端部においてホース４の基端部を接続しており（図示せず）、送気路１９には前記第２のサイドハウジング８の中心部から突出したシャフト１４の図中右側の端部から空気が送り込まれるようになっている。従って、ホース４は、その送り込まれた空気を送気路１９からホース接続部材４２を通じ受けて通すようになっており、空気供給用のいわゆるエアホースとして機能するものである。
【００１５】
なお、ハウジング２に対する前記ハンガー１の取付けは、中間ハウジング９の上部に形成した複数（図示例は３つ）の取付孔４４に対する取付部材としてのシャフト４５の選択挿入によって行っており、その選択は、巻取リール２４，２５に巻装した線条部材の重量に応じて行い、具体的には、この場合、ホース４よりも重量の大なる電気コード３の方（図中左側）の取付孔４４に取付シャフト４５を挿入して、巻取装置の全体がその重量の大なる電気コード３側に傾くことのないようにしている。
【００１６】
但し、電気コード３とホース４は、上述とは反対に電気コード３が巻取リール２５に巻装され、ホース４が巻取リール２４に巻装されていても良い（この場合、取付シャフト４５は巻取リール２５側（図中右側）の取付孔４４に挿入すると良い）。加えて、それらの巻取リールには、電気コード３同士が、又はホース４同士が巻装されていても良く（この場合、取付シャフト４５は中央の取付孔４４に挿入すると良い）、更にそれらに代わって、ロープなど他の線条部材が巻装されていても良い。
【００１７】
以上のように本構成のものでは、第１及び第２の複数の巻取室１１，１２を、第１のサイドハウジング７と、これと対向する第２のサイドハウジング８、及びこれらの間に位置して上記複数の巻取室１１，１２についての仕切部１０を有する中間ハウジング９により構成しており、中間ハウジング９が複数の巻取室１１，１２について共通である。
よって、ハウジング構造の合理化ができて、複数の巻取室１１，１２を、従来のものと異なり、その室数相当数の独立した別個のハウジングを必要とすることなく構成できるものであり、コストの低減ができる。
【００１８】
なお、上記実施例では、巻取室を第１の巻取室１１及び第２の巻取室１２の２つとしたが、例えば中間ハウジング９を複数並べて連結することにより、２つより多くの数となるようにしても良い。
又、ホース４は、空気以外の流体、例えば水等の液体を通すものであっても良い。
そのほか、本発明は上記し且つ図面に示した実施例にのみ限定されるものではなく、要旨を逸脱しない範囲内で適宜変更して実施し得る。
【００１９】
【発明の効果】
以上説明したように、本発明の巻取装置によれば、複数の巻取室を、その室数相当数の独立した別個のハウジングを必要とすることなく構成できて、コストの低減ができるという著効が得られる。
【図面の簡単な説明】
【図１】本発明の一実施例を示す主要部分の縦断面図
【図２】巻取装置全体の斜視図
【符号の説明】
７は第１のサイドハウジング、８は第２のサイドハウジング、９は中間ハウジング、１０は仕切部、１１は第１の巻取室、１２は第２の巻取室を示す。
【図１】
2004203548.tif 000003
【図２】
2004203548.tif 000004